(57)【要約】【課題】応力集中による悪影響を抑制しながら、高剛性と軽量化を両立させ、それにより、ピアノの音量を十分に得ることができるとともに、アクションの応答性および連打性を向上させることができるピアノのウィッペンを提供する。【解決手段】押鍵された鍵５２で突き上げられることによって、ハンマー５６を回動させ、ハンマー５６に打弦を行わせるピアノのウィッペン１であって、前後方向に延び、後端部において水平軸線回りに回動自在に支持された本体部２と、本体部２の中央部５から前後の境界部７、８を介して下方に突出し、鍵５２によって突き上げられるヒール部３と、側面に、本体部２およびヒール部３にわたって設けられた凹部１１と、境界部の剛性を補強するための肉厚補強部２２、３１と、を備える。【選択図】  図１
2004272074.tif 000002
【特許請求の範囲】
【請求項１】
押鍵された鍵で突き上げられることによって、ハンマーを回動させ、当該ハンマーに打弦を行わせるピアノのウィッペンであって、
前後方向に延び、後端部において水平軸線回りに回動自在に支持された本体部と、
当該本体部の中央部から前後の境界部を介して下方に突出し、前記鍵によって突き上げられるヒール部と、
側面に、前記本体部および前記ヒール部にわたって設けられた凹部と、
前記境界部の剛性を補強するための肉厚補強部と、
を備えることを特徴とするピアノのウィッペン。
【請求項２】
前記肉厚補強部は、前記前後の境界部の間を結びかつ前記凹部を横切るように延びる内リブを有することを特徴とする、請求項１に記載のピアノのウィッペン。
【請求項３】
前記肉厚補強部は、前記前後の境界部付近に外縁に沿って延び、当該境界部に近いほど、幅がより大きくなるように形成された外リブを有することを特徴とする、請求項１または２に記載のピアノのウィッペン。
【発明の詳細な説明】
【０００１】
【発明の属する技術分野】
本発明は、押鍵された鍵で突き上げられることによって、ハンマーを回動させ、これに打弦を行わせるピアノのウィッペンに関する。
【０００２】
【従来の技術】
従来のピアノのウィッペンとして、例えば特許文献１に開示されたものが知られている。このウィッペン５１は、図４に示すように、前後方向（以下、演奏者から見て手前側を「前」とし、先方側を「後」とする）に延びる本体部５１ａと、この本体部５１ａの前後方向の中央部から下方に突出するヒール部５１ｂと、本体部５１ａの中央部よりも後ろ側から上方に突出するレバー支持部５１ｃとを備えている。ヒール部５１ｂの前面および背面は、本体部５１ａの底面にほぼ垂直に交わっている。また、本体部５１ａの前端部および後端部には、ジャック取付孔５１ｄおよび被支持孔５１ｅがそれぞれ設けられている。さらに、本体部５１ａおよびヒール部５１ｂの各側面には、本体部５１ａの後部からヒール部５１ｂの全体にわたって、凹部５１ｆ（一方のみ図示）が形成されており、それにより、ウィッペン５１の重量を軽減するようにしている。
【０００３】
周知のように、以上の構成のウィッペン５１などによって、アクションが構成されている。具体的には、アクションでは、ウィッペン５１は、被支持孔５１ｅを介してウィッペンフレンジに回動自在に取り付けられるとともに、ヒール部５１ｂを介して鍵の後部に載置されている。また、ウィッペン５１のレバー支持部５１ｃおよびジャック取付孔５１ｄには、レペティションレバーおよびジャックがそれぞれ取り付けられている。さらに、このレペティションレバーには、シャンクローラを介して、ハンマーが載置されている。以上の構成のアクションでは、ウィッペン５１は、押鍵された鍵で突き上げられることによって、被支持孔５１ｅを中心として上方に回動し、レペティションレバーおよびジャックを連動させる。それにより、ハンマーが上方に回動することで、上方に張られた弦を打弦する。
【０００４】
【特許文献１】
特開平９−２８１９５９号公報（第３頁第４欄、図３）
【０００５】
【発明が解決しようとする課題】
上述したように、ウィッペン５１は、ヒール部５１ｂを介して鍵で突き上げられることによって、後端部の被支持孔５１ｅを中心として回動するため、ヒール部５１ｂおよびこれに連なる本体部５１ａの中央部には、鍵の突き上げ力による曲げ荷重が直接、作用する。これに対し、ウィッペン５１には、前述したように本体部５１ａの後部からヒール部５１ｂの全体にわたって凹部５１ｆが形成されているので、その分、断面が減少し、剛性が低くなるため、鍵で突き上げられたときに、本体部５１ａの中央部およびヒール部５１ｂが変形しやすい。この本体部５１ａの中央部およびヒール部５１ｂの変形により、ハンマーへの押鍵エネルギーの伝達ロスが生じることで、ハンマーの回動速度が遅くなり、その結果、ピアノの音量が不足がちになるとともに、打弦タイミングが遅くなってしまう。
【０００６】
また、前述したように、ヒール部５１ｂの前面および背面が本体部５１ａの底面にほぼ垂直に交わっているので、鍵で突き上げられた際に、この境界部に、応力集中が生じやすく、それによる悪影響によって、アクションの動作に支障を来すおそれがある。
【０００７】
本発明は、このような課題を解決するためになされたものであり、応力集中による悪影響を抑制しながら、高剛性と軽量化を両立させ、それにより、ピアノの音量を十分に得ることができるとともに、アクションの応答性および連打性を向上させることができるピアノのウィッペンを提供することを目的とする。
【０００８】
【課題を解決するための手段】
この目的を達成するため、請求項１による発明は、押鍵された鍵で突き上げられることによって、ハンマーを回動させ、ハンマーに打弦を行わせるピアノのウィッペンであって、前後方向に延び、後端部において水平軸線回りに回動自在に支持された本体部と、本体部の中央部から前後の境界部を介して下方に突出し、鍵によって突き上げられるヒール部と、側面に、本体部およびヒール部にわたって設けられた凹部と、境界部の剛性を補強するための肉厚補強部と、を備えることを特徴とする。
【０００９】
このピアノのウィッペンは、ヒール部を介して、押鍵された鍵で突き上げられることによって、後端部を中心として水平軸線回りに回動し、それにより、ハンマーを回動させ、これに打弦を行わせる。また、本体部とヒール部との境界部の剛性が肉厚補強部によって補強されているので、この境界部の剛性を高めることができ、それにより、鍵に突き上げられた際の本体部の中央部およびヒール部の変形による押鍵エネルギーの伝達ロスを低減でき、ハンマーの回動速度を高めることができる。したがって、ピアノの音量を十分に得ることができるとともに、打弦タイミングが早められるなど、押鍵に対するアクションの応答性を向上させることができる。さらに、上記のように本体部とヒール部との境界部の剛性が高められるので、鍵の突き上げにより曲げ荷重が作用したときの境界部での応力集中による悪影響を抑制することができる。また、ウィッペンの側面に、本体部およびヒール部にわたって大きな凹部が設けられているので、その分、ウィッペンの重量を軽減することができる。したがって、ウィッペンの動きを軽快にすることができるので、連打性を向上させることができる。以上のように、応力集中による悪影響を抑制しながら、高剛性と軽量化を両立させることができる。
【００１０】
請求項２に係る発明は、請求項１に記載のピアノのウィッペンにおいて、肉厚補強部は、前後の境界部の間を結びかつ凹部を横切るように延びる内リブを有することを特徴とする。
【００１１】
この構成によれば、本体部の中央部とヒール部との前後の境界部の間を結びかつ凹部を横切るように延びる内リブによって、前後の境界部の断面を増加させることができるので、前後の境界部の剛性を高めることができる。また、境界部間に連続的に延びる内リブが、全体として一体的に曲げ荷重に抵抗するので、この曲げ荷重による前後の境界部の変形を効果的に抑制することができる。さらに、上記のように、ウィッペンに部分的にリブを設けるだけなので、比較的単純な構成で、ウィッペンの重量を大幅に増加させることなく、上記の利点を得ることができる。
【００１２】
請求項３に係る発明は、請求項１または２に記載のピアノのウィッペンにおいて、肉厚補強部は、前後の境界部付近に外縁に沿って延び、境界部に近いほど、幅がより大きくなるように形成された外リブを有することを特徴とする。
【００１３】
この構成によれば、前後の境界部付近に、これらに近いほどより大きな幅の外リブが設けられているので、前後の境界部の断面すなわち剛性を効果的に高めることができる。また、この外リブの幅が前後の境界部から離れるほどより小さいので、ウィッペンの重量の増加を最小限に抑制できる。
【００１４】
【発明の実施の形態】
以下、図面を参照しながら、本発明の好ましい実施形態を詳細に説明する。図３は、本発明の一実施形態によるウィッペン１を含むグランドピアノのアクション５０を、鍵５２の離鍵状態において示している。このアクション５０は、前後方向（同図の左右方向）に延び、鍵５２の後部（同図の左部）にキャプスタンスクリュー５９を介して載置されたウィッペン１と、ウィッペン１に回動自在に取り付けられたレペティションレバー５３およびジャック５４とを備えている。ウィッペン１は、後端部において、ウィッペンフレンジ５８に水平軸線回りに回動自在に支持されている。さらに、レペティションレバー５３の前部には、シャンクローラ５５を介してハンマー５６が載置されている。
【００１５】
この離鍵状態から、鍵５２が押鍵されると、ウィッペン１が突き上げられることにより、レペティションレバー５３およびジャック５４がウィッペン１と一緒に上方に回動する。そして、回動したジャック５４がシャンクローラ５５を介してハンマー５６を突き上げることによって、ハンマー５６が弦Ｓを打弦する。
【００１６】
ウィッペン１は、合成樹脂、例えばＡＢＳ樹脂を射出成形することによって形成されており、図１に示すように、従来と同様、前後方向に延びる本体部２と、この本体部２の下側に連続し、鍵５２によって突き上げられるヒール部３を備えている。このウィッペン１の左右方向の厚さは、後述する凹部１１以外の部分では、所定の大きさ（例えば９．６ｍｍ）に設定されている。また、ウィッペン１の全体の重量は９〜１２ｇである。
【００１７】
本体部２は、前側から順に、前部４、中央部５および後部６に区分されている。前部４は、一定の高さを有し、前後方向に延びている。後部６は、前後方向に延びており、前部４と基本的に同じ高さを有し、その中間部が一段低く形成されており、それよりも後ろ側が、斜め上方に若干延びた後、水平な後端部になっている。中央部５の後ろ寄りの部分には、レバー取付部５ａが上方に突出するように一体に設けられている。また、中央部５の上面は、前部４の後端部から水平に延び、その途中から斜め上がりに後方に、かつ内向きに若干凸に湾曲した状態で延びた後、水平に延び、レバー取付部５ａに連続している。さらに、これと前後対称の関係で、後部６の上面がレバー取付部５ａに連続している。
【００１８】
ヒール部３は、中央部５から下方に突出しており、ヒール部３と前部４および後部６の下部との境界部が、前後の境界部７および８にそれぞれ相当する。また、ヒール部３は、前面３ａと、前面３ａの下端から基本的に水平に延びる底面３ｂと、底面３ｂの後端から上方に延びる背面３ｃとによって取り囲まれた側面形状を有している。具体的には、前面３ａは、前部４の下面後端からほぼ垂直に下方に延びている。また、底面３ｂは、その中央部が若干へこんでおり、このへこんだ部分が、これに貼り付けられたフェルト６０を介してキャプスタンスクリュー５９に当接している（図３参照）。さらに、背面３ｃは、底面３ｂの後端から斜め上方に、かつ内向きに若干凸に湾曲した状態で延びた後、上方に若干延び、後部６の下面前端にほぼ垂直に連続している。
【００１９】
ウィッペン１の左右の側面には、本体部２の後部６および中央部５からヒール部３にわたって、凹部１１（一方のみ図示）が互いに対応するように形成されている。この凹部１１は、後部６、中央部５およびヒール部３の外面に沿う外リブ３１（肉厚補強部）を残すようにして形成されており、その深さは所定の値（例えば１〜４ｍｍ）に設定されている。また、凹部１１には、前部４と後部６の間を結ぶように延びる上内リブ２１と、前後の境界部７および８の間を結ぶように延びる下内リブ２２（肉厚補強部、内リブ）が形成されている。これらの上下の内リブ２１および２２によって、凹部１１が、上側から順に、上凹部１１ａ、中凹部１１ｂおよび下凹部１１ｃに分割されている。上下の内リブ２１および２２は、いずれも水平で、それらの幅は互いに同じ大きさ（例えば２．０ｍｍ）に設定されている。また、上内リブ２１は前部４および後部６の上面と、下内リブ２２はこれらの下面とほぼ面一にそれぞれ配置され、いずれも外リブ３１に連続している。なお、凹部１１ならびに上下の内リブ２１および２２は、ウィッペン１の射出成形時に一体に形成される。
【００２０】
外リブ３１の幅は、中央部５の上面の部分では、上下の内リブ２１、２２よりも若干小さな第１所定値Ｗ１（例えば１．５ｍｍ）に設定されており、前後の境界部７および８の付近では、この第１所定値Ｗ１よりも大きくなっている。具体的には、外リブ３１のうち、ヒール部３の前面３ａおよび背面３ｃに位置する部分の幅は、それぞれの下端が第１所定値Ｗ１と同じ大きさに設定され、前後の境界部７、８に近づくにつれて次第に大きくなり、上端で所定の最大値ＷＭＡＸ（例えば２．０ｍｍ）に設定されている。また、外リブ３１の後部６の下面に位置する部分の幅は、そのほぼ後半部が第１所定値Ｗ１よりも小さな第２所定値Ｗ２（例えば１．０ｍｍ）に設定され、後ろ側の境界部８に近づくにつれて次第に大きくなり、その前端が下内リブ２２と同じ大きさで連なっている。さらに、外リブ３１の後部６の上面後端部に位置する部分の幅は、上記の第２所定値Ｗ２に設定され、その前側の第１所定値Ｗ１の幅の部分に階段状に連なっている。
【００２１】
なお、図２に示すように、前部４の前側は、従来のウィッペンと同様、左右に二股に分岐したジャック取付部４ａになっており、各分岐部に、ジャック５４を取り付けるためのジャック取付孔４ｂ（一方のみ図示）が左右方向に貫通するように形成されている。また、前部４の上面には、ジャック取付部４ａよりも後ろ側に、上下方向に貫通するスプーン取付孔４ｃが形成されている。このスプーン取付孔４ｃに、スプーン５７（図３参照）が圧入されることによって固定される。
【００２２】
さらに、レバー取付部５ａは、左右に二股に分岐しており、各分岐部の上端部および中央部にはそれぞれ、レペティションレバー５３を取り付けるためのレバー取付孔５ｂ、およびレペティションスプリング６１（図３参照）を取り付けるためのスプリング取付孔５ｃ（それぞれ一方のみ図示）が、左右方向に貫通するように形成されている。
【００２３】
また、後部６の後端部には、左右方向に貫通する被支持孔６ａが形成されている。ウィッペン１は、被支持孔６ａに通されたセンターピンを介して、ウィッペンフレンジ５８（図３参照）に回動自在に支持される。
【００２４】
以上のように、本実施形態のウィッペン１によれば、下内リブ２２が、前後の境界部７および８の間を結びかつ凹部１１を横切るように延びているので、前後の境界部７および８の断面すなわち剛性を高めることができる。また、下内リブ２２が、全体として一体的に曲げ荷重に抵抗するので、この曲げ荷重による前後の境界部７および８の変形を効果的に抑制することができる。このように、ウィッペン１に下内リブ２２を部分的に形成しただけの比較的単純な構成で、ウィッペン１の重量を大幅に増加させることなく、上述した効果を得ることができる。
【００２５】
さらに、外リブ３１の幅が、前後の境界部７および８に近づくにつれて次第に大きくなるように設定されているので、前後の境界部７および８の断面すなわち剛性を効果的に高めることができる。以上により、鍵５２に突き上げられた際の中央部５およびヒール部３の変形による押鍵エネルギーの伝達ロスを低減でき、ハンマー５６の回動速度を高めることができる。したがって、ピアノの音量を十分に得ることができるとともに、打弦タイミングが早められるなど、押鍵に対するアクション５０の応答性を向上させることができる。また、上記のように、前後の境界部７および８の剛性が高められているので、鍵５２の突き上げにより曲げ荷重が作用したときの前後の境界部７および８での応力集中による悪影響を抑制することができる。
【００２６】
さらに、外リブ３１のうち、ヒール部３の前面３ａ、背面３ｂおよび後部６の下面に位置する部分の幅が、前後の境界部７および８から離れるにつれて次第に小さくなる。また、外リブ３１のうち、後部６の上面後端部に位置する部分の幅が、他の部分よりも小さい第２所定値Ｗ２に設定されている。以上により、ウィッペン１の重量の増加を最小限に抑制することができる。
【００２７】
さらに、本体部２の後部６からヒール部３にわたって大きな凹部１１が設けられているので、その分、ウィッペン１の重量を大幅に軽減することができる。したがって、その動きを軽快にすることができ、連打性を向上させることができる。以上のように、応力集中による悪影響を抑制しながら、ウィッペン１の高剛性と軽量化を両立させることができる。
【００２８】
また、上内リブ２１および外リブ３１によって、ウィッペン１のレバー取付部５ａの前後の部分の断面を増加させることができるので、この部分の剛性を高めることができる。また、前部４と後部６の間に連続的に延びる上内リブ２１もまた、下内リブ２２と同様、鍵５２の突き上げによる曲げ荷重に全体として一体的に抵抗するので、曲げ荷重によるこの部分の変形を効果的に抑制することができる。
【００２９】
なお、本発明は、説明した実施形態に限定されることなく、種々の態様で実施することができる。例えば、凹部１１の形状および大きさは、本発明の趣旨に合致すれば、実施形態のものに限らず任意である。また、下内リブ２２は、前後の境界部７および８の間を結びかつ凹部１１を横切るように延びていればよく、その形状および大きさは、実施形態のものに限らず任意である。さらに、ウィッペン１をＡＢＳ樹脂によって構成したが、炭素繊維を強化材として含有する合成樹脂によって構成してもよく、その場合には、ウィッペン１の剛性がさらに高められる。また、本実施形態は、グランドピアノのウィッペンの例であるが、本発明はこれに限らず、アップライトピアノのウィッペンに適用することが可能である。その他、本発明の趣旨の範囲内で、細部の構成を適宜、変更することが可能である。
【００３０】
【発明の効果】
以上のように、本発明のピアノのウィッペンによれば、応力集中による悪影響を抑制しながら、高剛性と軽量化を両立させ、それにより、ピアノの音量を十分に得ることができるとともに、アクションの応答性および連打性を向上させることができるなどの効果を有する。
【図面の簡単な説明】
【図１】本発明の一実施形態によるウィッペンの側面図である。
【図２】図１のウィッペンの斜視図である。
【図３】図１のウィッペンを適用したアクションを含む鍵盤装置の側面図である。
【図４】従来のウィッペンの側面図である。
【符号の説明】
１  ウィッペン
２  本体部
３  ヒール部
５  中央部
７  前側の境界部（前後の境界部）
８  後ろ側の境界部（前後の境界部）
１１  凹部
１１ａ  上凹部（凹部）
１１ｂ  中凹部（凹部）
１１ｃ  下凹部（凹部）
２２  下内リブ（肉厚補強部、内リブ）
３１  外リブ（肉厚補強部）
５２  鍵
５６  ハンマー
【図１】
2004272074.tif 000003
【図２】
2004272074.tif 000004
【図３】
2004272074.tif 000005
【図４】
2004272074.tif 000006